(57)【要約】【課題】無線端末が、無線基地局から許可された送信電力よりもさらに大きな送信電力を用いて上りデータの送信を行なえるようにする。【解決手段】無線端末１が、無線基地局３０により許可された送信電力で前記無線基地局３０への上りデータチャネル（E-DPDCH）の送信を行なっている際に、前記無線基地局３０への上り制御チャネル（HS-DPCCH）の送信状態を制御して、当該上り制御チャネル（HS-DPCCH）の送信電力の少なくとも一部を前記上りデータチャネル（E-DPDCH）に割り当て、当該割り当てに伴って、前記上りデータチャネル（E-DPDCH）について許可された送信電力の増加を前記無線基地局３０に要求する。【選択図】図１
2008199157.tif 000002
【特許請求の範囲】
【請求項１】
無線基地局と、当該無線基地局への要求に応じて当該無線基地局から許可された送信電力にて当該無線基地局と通信する無線端末の通信制御方法であって、
前記無線端末は、
前記無線基地局により許可された送信電力で前記無線基地局への上りデータチャネルの送信を行なっている際に、前記無線基地局への上り制御チャネルの送信状態を制御して、当該上り制御チャネルの送信電力の少なくとも一部を前記上りデータチャネルに割り当て、
当該割り当てに伴って、前記上りデータチャネルについて許可された送信電力の増加を前記無線基地局に要求する
ことを特徴とする、無線端末の通信制御方法。
【請求項２】
前記無線端末は、
前記上り制御チャネルの特定領域の送信状態を不連続送信状態に制御することで、前記上り制御チャネルの送信電力を減少し、その減少に応じた送信電力を前記上りデータチャネルに割り当てることを特徴とする、請求項１記載の無線端末の通信制御方法。
【請求項３】
前記特定領域が、前記無線基地局からの下りデータチャネルについての受信結果確認情報の送信領域であることを特徴とする、請求項２記載の無線端末の通信制御方法。
【請求項４】
前記特定領域が、前記無線基地局へ送信すべき受信品質情報の送信領域であることを特徴とする、請求項２記載の無線端末の通信制御方法。
【請求項５】
無線基地局への要求に応じて当該無線基地局から許可された送信電力にて当該無線基地局と通信する無線端末であって、
前記無線基地局により許可された送信電力で前記無線基地局への上りデータチャネルの送信を行なっている際に、前記無線基地局への上り制御チャネルの送信状態を制御して、当該上り制御チャネルの送信電力の少なくとも一部を前記上りデータチャネルに割り当てる送信電力制御手段と、
前記送信電力制御手段による前記割り当てに伴って、前記上りデータチャネルについて許可された送信電力の増加を前記無線基地局に要求する送信電力増加要求手段と
をそなえたことを特徴とする、無線端末。
【発明の詳細な説明】
【技術分野】
【０００１】
本発明は、無線端末の通信制御方法及び無線端末に関し、例えばW-CDMA（Wideband-Code Division Multiple Access）方式の無線による通信を行なう無線通信システムに用いて好適な技術に関する。
【背景技術】
【０００２】
W-CDMA方式は、IMT-2000（International Mobile Telecommunications-2000）で定められた無線通信インタフェースの１つであり、代表的な無線通信方式に位置づけられている。
W-CDMA方式は、最大３８４ｋｂｐｓの伝送速度により、音声、動画像、データ等のマルチメディアアクセスを可能にしている。
【０００３】
また、近年になってW-CDMA方式の技術をベースにしたHSDPA（High Speed Downlink Packet Access）及びHSUPA（High Speed Uplink Packet Access）と呼ばれる無線通信方式の研究、開発が進められている。
現行のW-CDMA方式に対して、HSDPAは、基地局から端末（ＵＥ：User Equipment）への方向である下り方向への高速なダウンリンクパケット伝送を行なうための技術であり、HSUPAは、その逆方向である上り方向への高速なアップリンクパケット伝送を行なうための技術である。HSDPAは３ＧＰＰリリース５（3rd Generation Partnership Project Release 5）で、HSUPAは３ＧＰＰリリース６でそれぞれ標準化が行なわれている。
【０００４】
図２はW-CDMAの通信を示す概念図で、この図２に示すように、基地局１００と１又は複数の端末（UE：User Equipment）２００との間で、W-CDMA方式による無線通信が行なわれる。
そして、上りリンクでは、ユーザ情報を伝送するチャネルであるDPDCH（Dedicated Physical Data Channel）と、制御情報を伝送するチャネルであるDPCCH（Dedicated Physical Control Channel）とが、それぞれ、ＱＰＳＫ（Quadrature Phase Shift Keying）変調の同相成分（Ｉ軸）と直交成分（Ｑ軸）にマッピングされて基地局１００へ送信される（実線矢印Ａ１参照）。
【０００５】
また、下りリンクでは、DPDCHとDPCCHとは、時分割多重されてＵＥ２００へ送信される（点線矢印Ａ２参照）。なお、これらのリンクは、ＵＥ２００毎に個別に割り当てられる個別チャネルであり、他のＵＥ２００とは排他的な伝送が行なわれる。
次に、図３にHSDPAの通信概念を示す。この図３に示すように、基地局１００からＵＥ２００への下り伝送時にHSDPAによる通信を行なう。
【０００６】
即ち、ＵＥ２００は、それぞれ、基地局１００からパイロットチャネル（CPICH：Common Pilot Channel）により送信されるパイロット信号（基地局１００とＵＥ２００との間で既知の信号）（符号Ａ５参照）を受信して、ＵＥ２００毎に、当該パイロット信号を基に下りリンクの伝搬環境、即ち、受信品質（受信電界強度：ＳＩＲ）を測定し、その測定結果を基に下りリンクの受信品質情報たるＣＱＩ（Channel Quality Indicator）を算出し、当該ＣＱＩをHS-DPCCH（High Speed Dedicated Physical Control Channel）により基地局１００へ通知する（実線矢印Ａ３参照）。
【０００７】
基地局１００は、ＵＥ２００から通知された下りリンクの受信品質情報（ＣＱＩ）に基づいて、伝搬環境の良好な、予め決めた台数分のＵＥ２００を優先的に選択するスケジューリングを行なう。このスケジューリングによって、或るＵＥ２００が選択されたとすると、基地局１００は、当該ＵＥ２００へスケジューリング情報（変調の種類や伝送量等が含まれる）をHS-SCCH（High Speed Shared Control Channel）により通知する（点線矢印Ａ４参照）。そして、ＵＥ２００は、受信したスケジューリング情報に基づいて、自端末２００の機能を設定する。
【０００８】
その後、基地局１００は、ＵＥ２００へユーザ情報をHS-PDSCH（High Speed Physical Downlink Shared Channel）と呼ばれる無線チャネルで伝送する（点線矢印Ａ４参照）。このユーザ情報を伝送するHS-PDSCHは、各ＵＥ２００が使用できる共通チャネルであり、時分割した１つのタイムスロットを、１つのＵＥ２００又は複数のＵＥ２００がシェアして使用するもので、最大１４．４Ｍｂｐｓの高速下りアクセスを可能にする。
【０００９】
次に、図４にHSUPAの通信概念を示す。この図４に示すように、ＵＥ２００から基地局２００への上り伝送時にHSUPAによる通信を行なう。
即ち、ＵＥ２００は、基地局１００へ上りデータ伝送要求としてＳＩ（Scheduling Information）を送信する（実線矢印Ａ６参照）。
基地局１００は、ＵＥ２００から送られてきた複数のＳＩを集計し、ＵＥ２００の通信品質や上りデータの優先度等に基づいて、上り伝送を行なうＵＥ２００の送信タイミングを決めるスケジューリングを行ない、ＵＥ２００へ上り伝送許可として“Grant”を送信する（点線矢印Ａ７参照）。なお、“Grant”には、“absolute grant”と“relative grant”の２種類があり、“absolute grant”は、一定間隔を置いて上り伝送レートなどを通知するのに用いられ、“relative grant”は、“absolute grant”で通知した内容の更新情報を通知するのに用いられる。
【００１０】
ＵＥ２００は、基地局１００からの“Grant”を受信することにより上り伝送を許可された端末２００から順番に、E-DCH（Enhanced Dedicated Channel）と呼ばれる個別チャネルによって、ユーザ情報を基地局１００へ伝送する（実線矢印Ａ８参照）ことで、高速上りアクセスを可能にする。なお、E-DCHの伝送速度は、およそ２〜５Ｍｂｐｓとなることが検討されている。
【００１１】
HSDPAでは、適応符号化変調方式を採用しており、例えば、ＱＰＳＫ変調方式と１６値ＱＡＭ変調方式とを基地局１００とＵＥ２００との間の無線環境に応じて適応的に切り替えることを特徴としている。また、上記適応変調方式を実現するために、ＵＥ２００は基地局１００に対して受信環境を報告するための前記ＣＱＩが定義されており、ＣＱＩテーブルには例えばＣＱＩ＝１〜３０に応じて伝送速度の異なるフォーマットが定義されている。
【００１２】
そして、ＵＥ２００は、受信環境を測定し、その環境下でＣＱＩを送信する１スロット前以内から３スロット間でHS-PDSCHを受信したと仮定した場合に、HS-PDSCHのBLER（Block Error Rate）＝０．１を超えない最大のＣＱＩまたはそれよりも小さいＣＱＩを基地局１００に報告する。
一方、HSUPAでは、基地局１００が自局配下のトータルの上り干渉量（受信電力）を監視し、受信電力を閾値と比較することにより、上り送信要求のあるＵＥ２００に対して、E-AGCH（最大レートの絶対値指定コマンド）を用いて絶対値でＵＥ２００に送信レートを指示し、あるいは、E-RGCH（最大レートの相対値指定コマンド）を用いて、送信レートの増加、維持、減少を指示する。ＵＥ２００は、上り送信データがある場合、基地局１００にＳＩ（スケジューリング要求）を送信する。
【００１３】
ところで、上記ＳＩには、ＵＥ２００が送信しようとする送信データに関する情報として、例えば、「最優先論理チャネルID」，「全論理チャネルデータ量」，「最優先論理チャネルデータ量」及び「ＵＥ２００の送信可能な送信電力」などに関する情報がマッピングされている。
図６はE-DCH専用のチャネルである、E-DPCCH（Enhanced-Dedicated Physical Control Channel）及びE-DPDCH（Enhanced-Dedicated Physical Data Channel）のフレーム構成を示す図であり、この図６に示すように、E-DCHには、（１）制御情報を伝送するチャネルであるE-DPCCHと、（２）データを伝送するチャネルであるE-DPDCHとがある。E-DPCCHには、上りデータに関する制御情報（上り制御データ）として、例えばE-TFCI（E-DCH Transport Format Combination Indicator），RSN（Retransmission Sequence Number)及びHappy bitなどの情報がマッピングされている。ここで、E-TFCIは、上りデータと同時に送信される上り無線フレームのトランスポートチャネルへのマッピングを示す情報であり、また、RSNは、上りハイブリッド自動再送（HARQ：Hybrid Automatic Repeat Request）送信数を示す情報であり、さらに、Happy bitはＵＥ２００が、さらにリソ−ス（送信電力リソース）を必要とするか否かを示す情報である。
【００１４】
なお、下記特許文献１には、スケジューリング情報のビット数を減らすことで、効率的な通信を行なうことが開示されており、また、HSUPAを含むW-CDMAに関する物理チャネル、トランスポートチャネルに関する資料として下記非特許文献１がある。さらに、HSUPAの物理レイヤに関する資料として下記非特許文献２及び非特許文献３がある。
【特許文献１】特開２００５−６２９３号公報
【非特許文献１】3GPP TR 25.211 Release 7 (V7.0.0)(2006-03)
【非特許文献２】3GPP TR 25.212 Release 7 (V7.2.0)(2006-09)
【非特許文献３】3GPP TR 25.808 Release 6 (V6.0.0)(2005-03)
【発明の開示】
【発明が解決しようとする課題】
【００１５】
次に、図５に、上記ＳＩ（スケジューリング要求）の送信機能を具備するＵＥ２００の要部構成例を示す。この図５に示すＵＥ２００は、例えば、受信機２０１，HS-SCCH復調処理部２０２，HS-SCCH復号処理部２０３，HS-PDSCH復調処理部２０４，ＣＱＩ報告値算出部２０５，HS-PDSCH復号処理部２０６，HS-PDSCH CRC演算部２０７，下りレイヤ２（Ｌ２）データ処理部２０８，下り受信タイミング監視／上り送信タイミング管理部２０９，ＣＱＩ／ＡＣＫ／ＮＡＣＫスケジューリング処理部２１０，HS-DPCCH符号化処理部２１１，HS-DPCCH変調処理部２１２，上りレイヤ２（Ｌ２）データ処理部２１３，E-TFCI/RSN/Happy bitスケジューリング処理部２１４，E-DPCCH符号化処理部２１５，E-DPCCH変調処理部２１６，上りスケジューリング要求処理部２１７，E-DPDCH符号化処理部２１８，E-DPDCH変調処理部２１９及び送信機２２０をそなえて構成されている。
【００１６】
かかる構成を有するＵＥ２００では、受信アンテナ（図示省略）で受信された信号が受信機２０１に入力され、当該受信機２０１において、パス検出や逆拡散処理等が行なわれて、CPICH、HS-SCCH、HS-PDSCHの各チャネルが分離される。
そのうちのCPICH（パイロット信号）は、ＣＱＩ報告値算出部２０５に入力されてＣＱＩ報告値の算出に用いられる。即ち、当該受信パイロット信号を基に下りリンクの受信ＳＩＲが測定され、その測定結果を基に下りリンクのＣＱＩが算出される。当該ＣＱＩは、ＣＱＩ／ＡＣＫ／ＮＡＣＫスケジューリング処理部（以下、単に「スケジューラ」ともいう）２１０，HS-DPCCH符号化処理部２１１，HS-DPCCH変調処理部２１２及び送信機２２０を経由することにより、符号化処理、変調処理及び無線送信処理を施されて、HS-DPCCHにより基地局１００へ通知される。なお、受信パイロット信号は、HS-SCCH及びHS-PDSCHのチャネル推定値を求めるのにも用いられる。
【００１７】
また、受信機２０１で分離されたHS-SCCHは、HS-SCCH復調処理部２０２にて、前記受信パイロット信号に基づいて得られるチャネル推定値を用いてチャネル補償された上で復調され、HS-SCCH復号処理部２０３にて復号される。その復号結果は、HS-PDSCHの復号に必要な情報（符号化方式、符号化率など）を含むためHS-PDSCH復号処理部２０６に入力される。
【００１８】
また、受信機２０１で分離されたHS-PDSCHは、HS-PDSCH復調処理部２０４にて、チャネル推定値を用いてチャネル補償された上で復調され、さらに、HS-PDSCH復号処理部２０６にて、HS-SCCH復号処理部２０３からの前記復号結果を用いて復号され、HS-PDSCH CRC演算部２０７にて、ＣＲＣ演算されてエラーチェックされる。
その結果、エラーの無い（ＣＲＣ演算結果がＯＫである）復号データは、下りのレイヤ２の受信データとして下りＬ２データ処理部２０８に入力されて、所要のＬ２のデータ処理を施される。
【００１９】
また、上記ＣＲＣ演算結果は、スケジューラ２１０に入力され、ＣＲＣ演算結果がＯＫであれば、受信結果確認情報としてＡＣＫ（Acknowledgment）が、ＮＧであればＮＡＣＫ（Negative Acknowledgment）がそれぞれ前記ＣＱＩ報告値とともにスケジューリングされて、HS-DPCCH符号化処理部２１１，HS-DPCCH変調処理部２１２及び送信機２２０を経由することにより、符号化処理、変調処理及び無線送信処理を施されて、HS-DPCCHにより基地局１００へ通知される。
【００２０】
一方、上りリンクについては、上りＬ２データ処理部２１３にて、基地局１００へ送信すべき上りＬ２データが存在すると、E-TFCI/RSN/Happy bitスケジューリング処理部２１４にて、上り制御データが生成され、E-DPCCH符号化処理部２１５，E-DPCCH変調処理部２１６及び送信機２２０を経由することにより、符号化処理、変調処理及び無線送信処理を施されて、E-DPCCHにより基地局１００へ送信される。また、上りスケジューリング要求処理部２１７にて、上りＳＩが生成され、E-DPDCH符号化処理部２１８，E-DPDCH変調処理部２１９及び送信機２２０を経由することにより、符号化処理、変調処理及び無線送信処理を施されて、E-DPDCHにより基地局１００へ送信される。
【００２１】
なお、送信機２２０によるHS-DPCCH，E-DPCCH及びE-DPDCHの送信タイミングは、下り受信タイミング監視／上り送信タイミング管理部（以下、単に「タイミング管理部」ともいう）２０９からの送信タイミング信号に基づいて管理される。即ち、タイミング管理部２０９は、受信機２０１でのフレーム同期処理により特定される受信タイミング（フレームタイミング）を基に、HS-DPCCH，E-DPCCH及びE-DPDCHの送信タイミング（送信スロット）を管理し、当該送信タイミングに従って送信機２２０による送信タイミングが規定のタイミングとなるように制御するのである。
【００２２】
ところで、図７はHappy bitの値を示す図であり、この図７に示すように、E-DPCCHで送信されるHappy bitには、ＵＥ２００がさらなるリソースを必要としないことを示す「Happy状態」（Happy bitは「１」）と、ＵＥ２００がさらなるリソースを必要とすることを示す「Unhappy状態」（Happy bitは「０」）とのいずれか一方を示す情報で、以下の条件（１）〜（３）を全て満たす場合、さらなるリソースが必要であることを示す、「Not happy（Unhappy）状態」を基地局１００に通知するようになっている。
【００２３】
（１）ＵＥが、現在のＳＩで許可される最大量のスケジュールデータを送信している。
（２）ＵＥが、さらに高いデータレートで送信するのに充分な電力を利用可能である。
（３）送信遅延（ディレイ）が所定の規定値以上であり、ＵＥのバッファに蓄積されている送信データを所定の時間内に送りきれない。
したがって、例えば、ＵＥ２００が、E-DPDCHにて上りデータを基地局１００宛に送信しているとき、最大送信電力でデータ送信をしているにもかかわらず、ＵＥ２００と基地局１００との間の通信環境（通信品質）が一定の品質を満たさない場合、上りの通信レートが足りず、上りデータを全て送りきれない場合があるが、このような場合、上記の条件のうち（２）の「ＵＥ２００がさらに高いデータレートで送信するのに充分な電力を利用可能である。」という条件からは外れてしまう。このため、ＵＥ２００は、さらなるリソースが不要であることを示す、「Happy状態」を基地局１００に通知することになるので、基地局１００に対してさらなるリソースの割り当てを要求することができず、上りデータの送信を正常に完了することができなくなるという課題がある。
【００２４】
本発明は、上記の課題に鑑み創案されたもので、無線端末が、無線基地局から許可された送信電力よりもさらに大きな送信電力を用いて上りデータの送信を行なえるようにすることを目的とする。
【課題を解決するための手段】
【００２５】
上記の目的を達成するため、本発明では、下記の無線端末の通信制御方法及び無線端末を用いることを特徴としている。即ち、
（１）本発明の無線端末の通信制御方法は、無線基地局と、当該無線基地局への要求に応じて当該無線基地局から許可された送信電力にて当該無線基地局と通信する無線端末の通信制御方法であって、前記無線端末は、前記無線基地局により許可された送信電力で前記無線基地局への上りデータチャネルの送信を行なっている際に、前記無線基地局への上り制御チャネルの送信状態を制御して、当該上り制御チャネルの送信電力の少なくとも一部を前記上りデータチャネルに割り当て、当該割り当てに伴って、前記上りデータチャネルについて許可された送信電力の増加を前記無線基地局に要求することを特徴としている。
【００２６】
（２）ここで、前記無線端末は、前記上り制御チャネルの特定領域の送信状態を不連続送信状態に制御することで、前記上り制御チャネルの送信電力を減少し、その減少に応じた送信電力を前記上りデータチャネルに割り当てるようにしてもよい。
（３）また、前記特定領域が、前記無線基地局からの下りデータチャネルについての受信結果確認情報の送信領域であってもよい。
【００２７】
（４）さらに、前記特定領域が、前記無線基地局へ送信すべき受信品質情報の送信領域であってもよい。
（５）また、本発明の無線装置は、無線基地局への要求に応じて当該無線基地局から許可された送信電力にて当該無線基地局と通信する無線端末であって、前記無線基地局により許可された送信電力で前記無線基地局への上りデータチャネルの送信を行なっている際に、前記無線基地局への上り制御チャネルの送信状態を制御して、当該上り制御チャネルの送信電力の少なくとも一部を前記上りデータチャネルに割り当てる送信電力制御手段と、前記送信電力制御手段による前記割り当てに伴って、前記上りデータチャネルについて許可された送信電力の増加を前記無線基地局に要求する送信電力増加要求手段とをそなえたことを特徴としている。
【発明の効果】
【００２８】
上記本発明によれば、少なくとも次のいずれかの効果ないし利点が得られる。
（１）本発明の無線端末は、無線基地局により許可された送信電力で前記無線基地局への上りデータチャネルの送信を行なっている際に、前記無線基地局への上り制御チャネルの送信状態を制御して、当該上り制御チャネルの送信電力の少なくとも一部を前記上りデータチャネルに割り当て、当該割り当てに伴って、前記上りデータチャネルについて許可された送信電力の増加を前記無線基地局に要求するので、前記上りデータチャネルの送信に、さらに大きな送信電力を用いることができ、前記上りデータチャネルの送信を高速化できる。
【００２９】
（２）ここで、前記無線端末は、前記上り制御チャネルの特定領域の送信状態を不連続送信状態に制御することで、前記上り制御チャネルの送信電力を減少し、その減少に応じた送信電力を前記上りデータチャネルに割り当てるので、前記上りデータチャネルの送信電力を容易に増加させることが可能となる。
（３）また、前記特定領域を、前記無線基地局からの下りデータチャネルについての受信結果確認情報の送信領域とすれば、前記無線基地局から前記無線端末への下り方向のスループットを低下させることなく、前記上りデータチャネルの送信を高速化することが可能なる。
【００３０】
（４）さらに、前記特定領域を、前記無線基地局へ送信すべき受信品質情報の送信領域とすれば、前記無線基地局から前記無線端末への通信方式の変更を要することなく、前記上りデータチャネルの送信を高速化することが可能なる。
【発明を実施するための最良の形態】
【００３１】
以下、図面を参照して本発明の実施の形態を説明する。ただし、本発明は、以下に説明する実施形態に限定されず、本発明の趣旨を逸脱しない範囲で種々変形して実施できることはいうまでもない。
〔Ａ〕一実施形態の説明
図１は本発明の一実施形態に係る無線端末（ＵＥ）の要部の構成を示すブロック図である。この図１に示すＵＥ１は、例えば、受信機２，HS-SCCH復調処理部３，HS-SCCH復号処理部４，HS-PDSCH復調処理部５，ＣＱＩ報告値算出部６，HS-PDSCH復号処理部７，HS-PDSCH CRC演算部８，下りレイヤ２（Ｌ２）データ処理部９，下り受信タイミング監視／上り送信タイミング管理部１０，ＣＱＩ／ＡＣＫ／ＮＡＣＫスケジューリング処理部１１，HS-DPCCH符号化処理部１２，HS-DPCCH変調処理部１３，上りレイヤ２（Ｌ２）データ処理部１４，E-TFCI/RSN/Happy bitスケジューリング処理部１５，E-DPCCH符号化処理部１６，E-DPCCH変調処理部１７，上りスケジューリング要求処理部１８，E-DPDCH符号化処理部１９，E-DPDCH変調処理部２０，送信機２１，ＡＣＫ／ＮＡＣＫ／ＣＱＩ／ＤＴＸ制御部２２及びHappy条件信号監視部２３をそなえて構成されている。
【００３２】
つまり、ＵＥ１は、無線基地局３０への要求に応じて当該無線基地局３０から許可された送信電力にて当該無線基地局３０と通信するものであって、従来の無線端末が有する各部に加えて、ＡＣＫ／ＮＡＣＫ／ＣＱＩ／ＤＴＸ制御部２２及びHappy条件信号監視部２３を新たにそなえて構成されている。
ここで、受信機２は、受信アンテナ（図示省略）で受信した信号を受けて、パス検出や逆拡散処理等を行なうとともに、CPICH、HS-SCCH、HS-PDSCHの各チャネルを分離するものである。
【００３３】
また、ＣＱＩ報告値算出部６は、受信機２で分離されたCPICH（パイロット信号）に基づいてＣＱＩ報告値の算出を行なうもので、当該受信パイロット信号に基づいて下りリンクの受信ＳＩＲを測定し、その測定結果を基に下りリンクのＣＱＩを算出する機能を具備している。
ＣＱＩ報告値算出部６で算出されたＣＱＩは、ＡＣＫ／ＮＡＣＫ／ＣＱＩ／ＤＴＸ制御部２２，ＣＱＩ／ＡＣＫ／ＮＡＣＫスケジューリング処理部（以下、単に「スケジューラ」ともいう）１１，HS-DPCCH符号化処理部１２，HS-DPCCH変調処理部１３及び送信機２１を経由することにより、符号化処理、変調処理及び無線送信処理を施されて、HS-DPCCHにより無線基地局３０へ通知される。なお、前記受信パイロット信号は、HS-SCCH及びHS-PDSCHのチャネル推定値を求めるのにも用いられる。
【００３４】
HS-SCCH復調処理部３は、受信機２で分離されたHS-SCCHについて、前記受信パイロット信号に基づいて得られるチャネル推定値を用いてチャネル補償した上で復調するもので、HS-SCCH復号処理部４は、HS-SCCH復調処理部３からのHS-SCCHを復号するものである。HS-SCCH復号処理部４での復号処理の結果は、HS-PDSCHの復号に必要な情報（符号化方式、符号化率など）を含むためHS-PDSCH復号処理部５に入力される。
【００３５】
ここで、HS-PDSCH復調処理部５は、受信機２で分離されたHS-PDSCHについて、チャネル推定値を用いてチャネル補償した上で復調するもので、また、HS-PDSCH復号処理部７は、HS-SCCH復号処理部４からの前記復号処理結果を用いて復号するものである。
さらに、HS-PDSCH CRC演算部８は、HS-PDSCH復号処理部７からの復号処理結果について、ＣＲＣ演算を実行し、エラーチェックを行なう機能を具備するものである。
【００３６】
また、下りＬ２データ処理部９は、HS-PDSCH CRC演算部８におけるエラーチェックにてエラーが無い（ＣＲＣ演算結果がＯＫである）とされた復号データについて、所要のＬ２のデータ処理を施すものである。上記ＣＲＣ演算結果としての受信結果確認情報（ＡＣＫあるいはＮＡＣＫ）は、ＡＣＫ／ＮＡＣＫ／ＣＱＩ／ＤＴＸ制御部２２に入力される。
ここで、スケジューラ１１は、上記ＡＣＫ，ＮＡＣＫ及びＣＱＩ報告値の送信処理をスケジューリングするものである。これらの情報は、次いで、HS-DPCCH符号化処理部１２に入力されて、所定の送信処理が施される。
【００３７】
このため、HS-DPCCH符号化処理部１２は、前記情報について所定の符号化処理を施す機能を具備するもので、HS-DPCCH変調処理部１３は、所定の変調処理を施す機能を具備している。さらに、送信機２１は、所定の無線送信処理を施すものである。
つまり、ＡＣＫ／ＮＡＣＫ／ＣＱＩ／ＤＴＸ制御部２２から出力された情報は、スケジューラ１１，HS-DPCCH符号化処理部１２，HS-DPCCH変調処理部１３及び送信機２１を経由してHS-DPCCHにより無線基地局３０へ通知される。
【００３８】
一方、上り方向の送信データ（上りデータ）は、上りＬ２データ処理部１４にて生成される。即ち、上りＬ２データ処理部１４は、無線基地局３０へ送信すべき上りＬ２データを生成するとともに、所定のＬ２処理を施す機能を具備している。
また、E-TFCI/RSN/Happy bitスケジューリング処理部１５は、上りＬ２データ処理部１４にて、無線基地局３０へ送信すべき上りＬ２データが生成された場合に、上りデータに関する制御情報（上り制御データ）を生成するものである。当該上り制御データには、例えば、E-TFCI，RSN及びHappy bitなどの情報がマッピングされている。
【００３９】
E-DPCCH符号化処理部１６は、前記上り制御データについて所定の符号化処理を施すもので、E-DPCCH変調処理部１７は、所定の変調処理を施すものである。さらに、送信機２１は、所定の無線送信処理を施すものである。つまり、前記上り制御データは、E-DPCCH符号化処理部１６，E-DPCCH変調処理部１７及び送信機２１を経由することにより、符号化処理、変調処理及び無線送信処理を施されて、E-DPCCHにより無線基地局３０へ送信される。
【００４０】
ここで、上記Happy bitについて着目すると、このHappy bitは、以下の条件（１）〜（３）を全て満たす場合、さらなるリソースが必要であることを表す、「Not happy（Unhappy）状態」（Happy bit＝「０」）を示すように定義されている。
（１）ＵＥ１が、現在のＳＩで許可される最大量の上りデータを送信している。
（２）ＵＥ１が、さらに高いデータレートで上りデータを送信するのに充分な電力を利用可能である。
【００４１】
（３）上りデータの送信遅延（ディレイ）が規定値以上であり、ＵＥ１の送信バッファ（図示省略）に蓄積されている上りデータを所定の時間内に送りきれない。
上記の各条件（１）〜（３）は、HSUPAに予め定義されたものである。
ここで、本例のＵＥ１は、例えば、E-TFCI/RSN/Happy bitスケジューリング処理部１５により、ＵＥ１の各部に関する制御情報及び送信バッファから得られる情報に基づき、上記条件（１）〜（３）をそれぞれ満たすか否かの判定を行なえるようになっている。
【００４２】
上りスケジューリング要求処理部１８は、上りのＳＩを生成するもので、E-DPDCH符号化処理部１９は、上りスケジューリング要求処理部１８にて生成された上りのＳＩについて、所定の符号化処理を施すものである。
さらに、E-DPDCH変調処理部２０は、E-DPDCH符号化処理部１９にて符号化処理を施された上りＳＩについて、所定の変調処理を施すものである。つまり、上りスケジューリング要求処理部１８にて生成された上りＳＩは、E-DPDCH符号化処理部１９，E-DPDCH変調処理部２０及び送信機２１を経由することにより、符号化処理、変調処理及び無線送信処理を施されて、E-DPDCHにより無線基地局３０へ送信される。
【００４３】
当該上りＳＩを受けた無線基地局３０は、ＵＥ１から送られてきた複数のＳＩを集計し、ＵＥ１の通信品質や上りデータの優先度等に基づいて、上り伝送を行なうＵＥ１の送信タイミングを決めるスケジューリングを行ない、ＵＥ１へ上り伝送許可として“Grant”を送信する。ＵＥ１は、無線基地局３０からの“Grant”を受信することにより上り伝送を許可されたＵＥ１から順番に、E-DPDCHを用いて、上りデータを無線基地局３０へ伝送する。
【００４４】
下り受信タイミング監視／上り送信タイミング管理部（以下、単に「タイミング管理部」ともいう）１０は、送信機２１によるHS-DPCCH，E-DPCCH及びE-DPDCHの送信タイミングを制御する送信タイミング信号を生成するものである。つまり、タイミング管理部１０は、受信機２でのフレーム同期処理により特定される受信タイミング（フレームタイミング）に基づいて、HS-DPCCH，E-DPCCH及びE-DPDCHの送信タイミング（送信スロット）を管理し、当該送信タイミングに従って送信機２１による送信タイミングが規定のタイミングとなるように制御する。
【００４５】
ここで、ＡＣＫ／ＮＡＣＫ／ＣＱＩ／ＤＴＸ制御部２２は、Happy条件信号監視部２３から後述の「条件付Unhappy状態信号」を受けると、ＣＱＩ報告値，ＡＣＫ及びＮＡＣＫに応じて、ＣＱＩ報告値及びＮＡＣＫのHS-DPCCHにおける送信領域を不連続送信状態であるＤＴＸ（Discontinuous transmission）状態にするために、当該送信領域に何もマッピングしないようにスケジューラ１１を制御するものである。なお、このような制御を以下では単に、ＤＴＸをマッピングする、と表現する。
【００４６】
本例では、ＡＣＫ／ＮＡＣＫ／ＣＱＩ／ＤＴＸ制御部２２が、「条件付Unhappy状態信号」を受けると、ある通信プロセスに対するＣＱＩ報告値として、前回送信したＣＱＩ報告値と同じかそれを超えるＣＱＩ報告値を送信すべき場合に、ＣＱＩ報告値の代わりにＤＴＸをHS-DPCCHにマッピングするようにスケジューラ１１を制御するとともに、ある通信プロセスに対する受信結果確認情報として異常受信を示すＮＡＣＫを送信すべき場合に、当該ＮＡＣＫの代わりにＤＴＸをHS-DPCCHにマッピングするように制御することができるようになっている。
【００４７】
また、Happy条件信号監視部２３は、E-TFCI/RSN/Happy bitスケジューリング処理部１５にて生成されるHappy bitに関する各条件（上記（１）〜（３））の状態監視を行なうもので、本例では、上記（２）に示す条件（「ＵＥが、さらに高いデータレートで送信するのに充分な電力を利用可能である。」）のみを満たさない場合に、ＡＣＫ／ＮＡＣＫ／ＣＱＩ／ＤＴＸ制御部２２及び送信機２１に対して「条件付Unhappy状態信号」を出力する機能を具備している。
【００４８】
さらに、Happy条件信号監視部２３は、ＡＣＫ／ＮＡＣＫ／ＣＱＩ／ＤＴＸ制御部２２にて、ＣＱＩ報告値及びＮＡＣＫの代わりにＤＴＸを送信した場合に節約可能となる送信電力を用いてより高速に上りデータの送信を行なうことが可能となるか否かを判定する機能も具備している。
つまり、本例では、ＵＥ１が、Happy条件信号監視部２３により、ＡＣＫ／ＮＡＣＫ／ＣＱＩ／ＤＴＸ制御部２２にて節約可能な送信電力を用いて、より高速に上りデータの送信を行なうことが可能か否かを判定し、より高速に上りデータの送信を行なうことが可能であると判定した場合、E-TFCI/RSN/Happy bitスケジューリング処理部１５が、Happy bitに「Unhappy状態」をマッピングするように制御する。
【００４９】
その後、ＵＥ１は、無線基地局３０から最大送信電力の増加、つまり、さらなる送信電力リソースの割り当てを許可されると、Happy条件信号監視部２３からＡＣＫ／ＮＡＣＫ／ＣＱＩ／ＤＴＸ制御部２２及び送信機２１に「条件付Unhappy状態信号」を通知する。
当該「条件付Unhappy状態信号」を受けたＡＣＫ／ＮＡＣＫ／ＣＱＩ／ＤＴＸ制御部２２は、上述のように、本来のＣＱＩ報告値及びＮＡＣＫに代えてＤＴＸをマッピングし、送信電力リソースを節約し、また、上記「条件付Unhappy状態信号」を受けた送信機２１は、節約分の送信電力リソースを上りの送信データに割り当て、E-DPDCHの送信電力を増加させることで、より高速に上りデータの送信を行なえるようにする。
【００５０】
即ち、ＡＣＫ／ＮＡＣＫ／ＣＱＩ／ＤＴＸ制御部２２，Happy条件信号監視部２３及び送信機２１は、無線基地局３０により許可された送信電力で前記無線基地局３０へのE-DPDCHの送信を行なっている際に、前記無線基地局３０への制御チャネルであるHS-DPCCHの送信状態を制御して、当該HS-DPCCHの送信電力の少なくとも一部をデータチャネルであるE-DPDCHに割り当てる送信電力制御手段として機能する。
【００５１】
また、Happy条件信号監視部２３，E-TFCI/RSN/Happy bitスケジューリング処理部１５，E-DPCCH符号化処理部１６，E-DPCCH変調処理部１７及び送信機２１は、上記送信電力制御手段による前記割り当てに伴って、Happy bitを「Unhappy状態」に制御して送信することで、HS-DPCCHについて許可された送信電力の増加を無線基地局３０に要求する送信電力増加要求手段として機能する。
【００５２】
なお、一般的に、無線基地局３０は、ＵＥ１から、ＤＴＸを受信した場合、前回送信した下りデータを再送するようになっているため、結果的にＮＡＣＫを受信した場合と同様の再送処理を行なうこととなる。したがって、ＮＡＣＫの送信領域をＤＴＸ状態に制御しても影響はない。
また、無線基地局３０が、ＵＥ１から、ＣＱＩ報告値としてＤＴＸを受信した場合、前回の通信プロセス時に受信したＣＱＩ報告値に基づいて、下り方向の送信フォーマットを決定するので、前回の送信と同様の下りフォーマットで下り方向のデータ送信を行なう。このため、前記下りフォーマットは変更されないので、下り方向のスループットの低下は発生しない。
【００５３】
本発明の一実施形態に係るＵＥ１は、上述のごとく構成されることにより、無線基地局３０により許可された送信電力で前記無線基地局３０への上りデータチャネル（E-DPDCH）の送信を行なっている際に、前記無線基地局への上り制御チャネル（HS-DPCCH）の送信状態を制御して、当該上り制御チャネルの送信電力の少なくとも一部を前記上りデータチャネルに割り当て、当該割り当てに伴って、前記上りデータチャネルについて許可された送信電力の増加を前記無線基地局３０に要求することができるので、前記上りデータチャネルの送信に、さらに大きな送信電力を用いることができ、前記上りデータチャネルの送信を高速化できる。
【００５４】
具体的には、例えば、Happy bitに関する条件のうち、「ＵＥ１が、さらに高いデータレートで送信するのに充分な電力を利用可能である」、という条件のみを満足しない場合、無線基地局３０に対しさらなる送信電力リソースの要求を行なうために、ＣＱＩ報告値及びＮＡＣＫの代わりにＤＴＸをマッピングすることで、送信電力の節約を行なう。さらに、ＵＥ１は、「Happy状態」を示すHappy bitの代わりに「Unhappy状態」を示すHappy bitを送信することで、無線基地局３０からさらなる送信電力リソースの割り当てを受け、上記節約分の送信電力の少なくとも一部を上りデータチャネルの送信電力に割り当てる。
【００５５】
これにより、例えば、無線基地局３０とＵＥ１との間の通信環境（通信品質）が悪く、上り通信レートが足りずに、上り送信データを全て送りきれない状況でも、さらなる送信電力リソースの利用を図ることができる。なお、他のＵＥ１の動作については、基本的に既述のＵＥ２００と同様である。
以上、本発明の一実施形態について詳細に説明したが、本発明は上記の一実施形態に限定されるものではなく、本発明の趣旨を逸脱しない範囲において任意に変形して実施することができる。
【００５６】
例えば、ＵＥ１が、HS-DPCCH以外の上り制御チャネルの送信電力の節約を行ない、この節約分の送信電力の少なくとも一部をE-DPDCH以外の上りデータチャネルの送信電力に割り当てるようにすることもできる。
また、上述した例では、ＣＱＩ又はＮＡＣＫの送信領域をＤＴＸ状態に制御することで、上り制御チャネルの送信電力の節約を行なっているが、他の領域をＤＴＸ状態に制御することで、送信電力の節約を行なうようにしてもよい。
【００５７】
〔Ｂ〕付記
（付記１）
無線基地局と、当該無線基地局への要求に応じて当該無線基地局から許可された送信電力にて当該無線基地局と通信する無線端末の通信制御方法であって、
前記無線端末は、
前記無線基地局により許可された送信電力で前記無線基地局への上りデータチャネルの送信を行なっている際に、前記無線基地局への上り制御チャネルの送信状態を制御して、当該上り制御チャネルの送信電力の少なくとも一部を前記上りデータチャネルに割り当て、
当該割り当てに伴って、前記上りデータチャネルについて許可された送信電力の増加を前記無線基地局に要求する
ことを特徴とする、無線端末の通信制御方法。
【００５８】
（付記２）
前記無線端末は、
前記上り制御チャネルの特定領域の送信状態を不連続送信状態に制御することで、前記上り制御チャネルの送信電力を減少し、その減少に応じた送信電力を前記上りデータチャネルに割り当てることを特徴とする、付記１記載の無線端末の通信制御方法。
【００５９】
（付記３）
前記特定領域が、前記無線基地局からの下りデータチャネルについての受信結果確認情報の送信領域であることを特徴とする、付記２記載の無線端末の通信制御方法。
（付記４）
前記無線端末は、
前記受信結果確認情報の送信領域において異常受信を示す情報を送信すべき場合に、当該送信領域を不連続送信状態に制御することを特徴とする、付記３記載の無線端末の通信制御方法。
【００６０】
（付記５）
前記特定領域が、前記無線基地局へ送信すべき受信品質情報の送信領域であることを特徴とする、付記２記載の無線端末の通信制御方法。
（付記６）
前記無線端末は、
前記受信品質情報の送信領域において前回送信した受信品質情報と同じかそれを超える受信品質情報を送信すべき場合に、当該送信領域を不連続送信状態に制御することを特徴とする、付記５記載の無線端末の通信制御方法。
【００６１】
（付記７）
無線基地局への要求に応じて当該無線基地局から許可された送信電力にて当該無線基地局と通信する無線端末であって、
前記無線基地局により許可された送信電力で前記無線基地局への上りデータチャネルの送信を行なっている際に、前記無線基地局への上り制御チャネルの送信状態を制御して、当該上り制御チャネルの送信電力の少なくとも一部を前記上りデータチャネルに割り当てる送信電力制御手段と、
前記送信電力制御手段による前記割り当てに伴って、前記上りデータチャネルについて許可された送信電力の増加を前記無線基地局に要求する送信電力増加要求手段と
をそなえたことを特徴とする、無線端末。
【００６２】
（付記８）
前記送信電力制御手段は、
前記上り制御チャネルの特定領域の送信状態を不連続送信状態に制御することで、前記上り制御チャネルの送信電力を減少し、その減少に応じた送信電力を前記上りデータチャネルに割り当てることを特徴とする、付記７記載の無線端末。
【００６３】
（付記９）
前記特定領域が、前記無線基地局からの下りデータチャネルについての受信結果確認情報の送信領域であることを特徴とする、付記８記載の無線端末。
（付記１０）
前記送信電力制御手段は、
前記受信結果確認情報の送信領域において異常受信を示す情報を送信すべき場合に、当該送信領域を不連続送信状態に制御すべく前記上り制御チャネルの送信状態を制御することを特徴とする、付記９記載の無線端末。
【００６４】
（付記１１）
前記特定領域が、前記無線基地局へ送信すべき受信品質情報の送信領域であることを特徴とする、付記８記載の無線端末。
（付記１２）
前記送信電力制御手段は、
前記受信品質情報の送信領域において前回送信した受信品質情報と同じかそれを超える受信品質情報を送信すべき場合に、当該送信領域を不連続送信状態に制御すべく前記上り制御チャネルの送信状態を制御することを特徴とする、付記１１記載の無線端末。
【図面の簡単な説明】
【００６５】
【図１】本発明の一実施形態に係るＵＥの要部の構成を示すブロック図である。
【図２】W-CDMAの通信を示す概念図である。
【図３】HSDPAの通信を示す概念図である。
【図４】HSUPAの通信を示す概念図である。
【図５】HSUPA通信におけるＳＩ（スケジューリング要求）の送信機能を具備するＵＥの要部構成例を示すブロック図である。
【図６】E-DPCCH及びE-DPDCHのフレーム構成を示す図である。
【図７】Happy bitの値を示す図である。
【符号の説明】
【００６６】
１  無線端末（ＵＥ）
２  受信機
３  HS-SCCH復調処理部
４  HS-SCCH復号処理部
５  HS-PDSCH復調処理部
６  ＣＱＩ報告値算出部
７  HS-PDSCH復号処理部
８  HS-PDSCH CRC演算部
９  下りＬ２データ処理部
１０  下り受信タイミング監視／上り送信タイミング管理部
１１  ＣＱＩ／ＡＣＫ／ＮＡＣＫスケジューリング処理部
１２  HS-DPCCH符号化処理部
１３  HS-DPCCH変調処理部
１４  上りＬ２データ処理部
１５  E-TFCI/RSN/Happy bitスケジューリング処理部
１６  E-DPCCH符号化処理部
１７  E-DPCCH変調処理部
１８  上りスケジューリング要求処理部
１９  E-DPDCH符号化処理部
２０  E-DPDCH変調処理部
２１  送信機
２２  ＡＣＫ／ＮＡＣＫ／ＣＱＩ／ＤＴＸ制御部
２３  Happy条件信号監視部
３０  無線基地局
【図１】
2008199157.tif 000003
【図２】
2008199157.tif 000004
【図３】
2008199157.tif 000005
【図４】
2008199157.tif 000006
【図５】
2008199157.tif 000007
【図６】
2008199157.tif 000008
【図７】
2008199157.tif 000009